(57)【要約】      （修正有）【課題】建物用軒先構造の樋部での水位の上昇を防ぎ、漏水を防止する装置を提供する。【解決手段】漏水防止装置３０は、樋部１８を覆う網目状部材３２と、網目状部材３２を回動させて溜まったものを落下させる落下機構３４とを有し、落下機構３４は、網目状部材３２を支持する支持部材３６と、支持部材３６から下方に延びる腕部材と、腕部材をガイドするレール部材４０とを有し、腕部材は、間隔を空けて配置された軒先側の第１腕部材３８ａと棟側の第２腕部材３８ｂとを有する。第２腕部材３８ｂには、網目状部材３２の回動を操作する操作紐５８が取り付け、レール部材４０には、第１腕部材３８ａが軒先側に所定距離Ｌ移動した場合に、その移動を停止させて回動を許容する第１ストッパ４８と、第２腕部材３８ｂが軒先側に所定距離Ｌ移動した場合、第２腕部材３８ｂが上方外側へと抜ける上方開口部５２とが形成される。【選択図】図３
2015229887.tif 000002
【特許請求の範囲】
【請求項１】
建物の外壁の上方に配置される折板屋根であって、先端部が外壁から軒先側に突出した状態で設けられる折板屋根と、
外壁と折板屋根との隙間を覆う面戸と、
面戸の下方の外壁に設けられ、折板屋根の先端部から流出する雨水を受ける樋部と、
を有する建物用軒先構造の漏水防止装置において、
折板屋根の先端部から樋部の先端部までを覆う網目状部材と、
網目状部材を回動させて、この網目状部材上に溜まったものを落下させる落下機構と、
を有し、
落下機構は、
網目状部材を支持する支持部材と、
支持部材から下方に延びる腕部材と、
折板屋根の先端部と樋部の先端部と橋渡しするように設けられ、腕部材をガイドするレール部材と、
を有し、
腕部材は、レール部材が延びる方向に沿って間隔を空けて配置された軒先側の第１腕部材と棟側の第２腕部材とを有し、第２腕部材には、網目状部材の回動を操作する操作紐が取り付けられ、
レール部材には、第１腕部材が軒先側に所定距離移動した場合に、その移動を停止させるとともに回動を許容する第１ストッパと、第２腕部材が軒先側に前記所定距離移動した場合、第２腕部材が上方外側へと抜ける上方開口部とが形成される、
ことを特徴とする建物用軒先構造の漏水防止装置。
【請求項２】
請求項１に記載の建物用軒先構造の漏水防止装置において、
腕部材は、第１腕部材より軒先側に設けられる第３腕部材を有し、
レール部材には、第３腕部材が軒先側に移動した場合、第３腕部材が軒先外側へと抜ける軒先開口部が形成される、
ことを特徴とする建物用軒先構造の漏水防止装置。
【請求項３】
請求項１または２に記載の建物用軒先構造の漏水防止装置において、
レール部材には、第２腕部材の棟側への移動を停止させる第２ストッパが形成され、
第２ストッパは、上方開口部から棟側に前記所定距離の間隔を空けて設けられる、
ことを特徴とする建物用軒先構造の漏水防止装置。
【請求項４】
請求項１から３のいずれか１つに記載の建物用軒先構造の漏水防止装置において、
網目状部材は、さらに、樋部の先端部より軒先側外方に延びて形成される、
ことを特徴とする建物用軒先構造の漏水防止装置。
【発明の詳細な説明】
【技術分野】
【０００１】
本発明は建物用軒先構造の漏水防止装置に関し、特に折板屋根と外壁の間から建物内への雨水の侵入を防ぐ漏水防止装置に関する。
【背景技術】
【０００２】
従来の折板屋根の軒先構造について、図１を用いて説明する。従来の軒先構造１１０は、建物の外壁１１２と、外壁１１２の上方に配置される折板屋根１１４と、外壁１１２と折板屋根１１４との隙間を覆う面戸１１６と、外壁１１２に設けられる樋部１１８とを有する。
【０００３】
折板屋根１１４は、これの先端部１１４ａが外壁１１２から軒先側に突出した状態で設けられる。面戸１１６は、折板屋根１１４における上方に膨出する凸状の山部１２０にビス１２２で固定される。樋部１１８は、面戸１１６の下方の外壁１１２に設けられ、折板屋根１１４の先端部１１４ａから流出する雨水を受ける。
【０００４】
このように構成される軒先構造１１０においては、大雪により漏水する場合がある。以下に、漏水する状態について図２を用いて説明する。図２は、図１で説明した従来の軒先構造１１０の断面図であり、漏水状態を示す図である。
【０００５】
図２に示されるように、樋部１１８に雪１２４が大量に積もると、樋部１１８内における水位が上昇し、その水が外壁１１２と面戸１１６の隙間から建物内部に浸入するという現象、いわゆる「すが漏れ」が生じてしまう。すが漏れは、積雪時に限らず、樋部１１８の排水口の詰まりなどにより、樋部１１８内における水位が上昇したときにも生じる。
【０００６】
下記特許文献１には、無端状のシートを回転自在に屋根上に敷設し、このシートを回転させることで、屋根部分に積もる雪を除雪する除雪装置が記載されている。
【０００７】
下記特許文献２には、屋根上に設置される無端状ベルトと、このベルトを回転させる回転ドラムと、回転ドラムを駆動する駆動装置とを有し、無端状ベルトの回転により除雪する屋根上設置型除雪装置が記載されている。
【先行技術文献】
【特許文献】
【０００８】
【特許文献１】特開平９−１８９１４６号公報
【特許文献２】特開平５−９８８４８号公報
【発明の概要】
【発明が解決しようとする課題】
【０００９】
上記特許文献１，２のように屋根上に回転可能なシートを配設し、このシートの移動により積雪を、樋部よりさらに軒先方に落下させることができる。しかしながら、このような装置を屋根上に設置するには、折板屋根の構造的な検討が必要になるとともに、多大な費用と手間がかかるという問題がある。
【００１０】
樋部の水が建物内部に浸入するルートは、上述のように、外壁と面戸の隙間である。よって、この隙間をシーリング材により塞いで封止することで、漏水を防止することができる。しかしながら、従来の軒先構造においては、この隙間にシール層を形成可能な構造になっていないので、漏水を防止することが困難であるという問題がある。また、この隙間にシール層を確実に形成しようとすると、既設の構造を加工しなければならず、多大な費用と手間がかかってしまう。
【００１１】
本発明の目的は、簡易な構成で、樋部での水位の上昇を防ぎ、漏水を防止することができる建物用軒先構造の漏水防止装置を提供することにある。
【課題を解決するための手段】
【００１２】
本発明は、建物の外壁の上方に配置される折板屋根であって、先端部が外壁から軒先側に突出した状態で設けられる折板屋根と、外壁と折板屋根との隙間を覆う面戸と、面戸の下方の外壁に設けられ、折板屋根の先端部から流出する雨水を受ける樋部と、を有する建物用軒先構造の漏水防止装置において、折板屋根の先端部から樋部の先端部までを覆う網目状部材と、網目状部材を回動させて、この網目状部材上に溜まったものを落下させる落下機構と、を有し、落下機構は、網目状部材を支持する支持部材と、支持部材から下方に延びる腕部材と、折板屋根の先端部と樋部の先端部と橋渡しするように設けられ、腕部材をガイドするレール部材と、を有し、腕部材は、レール部材が延びる方向に沿って間隔を空けて配置された軒先側の第１腕部材と棟側の第２腕部材とを有し、第２腕部材には、網目状部材の回動を操作する操作紐が取り付けられ、レール部材には、第１腕部材が軒先側に所定距離移動した場合に、その移動を停止させるとともに回動を許容する第１ストッパと、第２腕部材が軒先側に前記所定距離移動した場合、第２腕部材が上方外側へと抜ける上方開口部とが形成されることを特徴とする。
【００１３】
また、腕部材は、第１腕部材より軒先側に設けられる第３腕部材を有し、レール部材には、第３腕部材が軒先側に移動した場合、第３腕部材が軒先外側へと抜ける軒先開口部が形成されることができる。
【００１４】
また、レール部材には、第２腕部材の棟側への移動を停止させる第２ストッパが形成され、第２ストッパは、上方開口部から棟側に前記所定距離の間隔を空けて設けられることができる。
【００１５】
さらに、網目状部材は、さらに、樋部の先端部より軒先側外方に延びて形成されることができる。
【発明の効果】
【００１６】
本発明の建物用軒先構造の漏水防止装置によれば、簡易な構成で、樋部での水位の上昇を防ぎ、漏水を防止することができる。
【図面の簡単な説明】
【００１７】
【図１】従来の折板屋根の軒先構造を示す図である。
【図２】従来の折板屋根の軒先構造における漏水状態を示す断面図である。
【図３】本実施形態に係る建物用軒先構造の漏水防止装置の構成を示す図である。
【図４】図３のＡ−Ａ線による断面図である。
【図５】落下機構が回動した時の状態を示す図である。
【発明を実施するための形態】
【００１８】
以下、本発明に係る建物用軒先構造の漏水防止装置の実施形態について、図を用いて説明する。図３は、本実施形態に係る建物用軒先構造の漏水防水装置の構成を示す図である。なお、図３の符号１０〜２４は、従来技術を示す図１，２の１１０〜１２４の百の桁を除いて対応する構成要素と同様であるため、詳細な説明は省略する。
【００１９】
建物用軒先構造１０は、建物の外壁１２の上方に配置される折板屋根１４であって、先端部１４ａが外壁１２から軒先側に突出した状態で設けられる折板屋根１４と、外壁１２と折板屋根１４との隙間を覆う面戸１６と、面戸１６の下方の外壁１２に設けられ、折板屋根１４の先端部１４ａから流出する雨水を受ける樋部１８とを有する。
【００２０】
漏水防止装置３０は、この軒先構造１０に、樋部１８に沿って１個又は複数個を連接して設置される。漏水防止装置３０は、折板屋根１４の先端部１４ａから樋部１８の先端部１８ａまでを覆う網目状部材３２と、網目状部材３２を回動させて、この網目状部材３２上に溜まったものを落下させる落下機構３４とを有する。本実施形態において、網目状部材３２上に溜まったものとは雪２４であるが、本発明は雪２４に限らず、樋部１８に溜まることにより排水を妨げるもの、例えば、植物の葉、紙袋、ビニールなどであってもよい。
【００２１】
網目状部材３２は、耐腐食性を有するステンレス製である。しかし、本発明はこの構成に限定されず、より安価な樹脂製などの他の材質であってもよい。網目状部材３２の網目の大きさは、雨水を通しつつ、一方で雪２４を網目状部材３２上に留めるように設定され、例えば１５〜２５ｍｍ角である。
【００２２】
網目状部材３２は、図３に示されるように、樋部１８の上部開口を覆うように設けられ、さらに、樋部１８の先端部１８ａより軒先側外方（紙面の右方）に延びて形成される。樋部１８の先端部１８ａより軒先側外方（紙面の右方）に延びて形成された領域３２ａ上に積もった雪２４の重みで、後述するように網目状部材３２が回動し易くなり、網目状部材３２上の雪２４を効率的に落下させることができる。
【００２３】
また、網目状部材３２は、図３に示されるように、軒先側とは反対側、すなわち棟側において、折板屋根１４の山部２０に接するように形成される。折板屋根１４の山部２０に接するように形成された網目状部材３２の領域３２ｂは、折板屋根１４の先端部１４ａと落下機構３４との隙間を塞ぎ、その隙間から樋部１８への雪２４の進入を抑制することができる。
【００２４】
落下機構３４は、網目状部材３２を支持する支持部材３６と、支持部材３６から下方に延びる腕部材３８と、腕部材３８をガイドするレール部材４０とを有する。
【００２５】
支持部材３６は、例えば鋼材を枠組みして作られた骨組みであり、網目状部材３２の形状を維持するように支持する。支持部材３６と網目状部材３２は、図４に示されるように、ビスなどの締結部材４２により固定される。
【００２６】
腕部材３８は、第１腕部材３８ａと第２腕部材３８ｂと第３腕部材３８ｃとを有する。これらの腕部材３８ａ，３８ｂ，３８ｃは、レール部材４０が延びる方向に予定の間隔を空けて配置される。具体的には、棟側から軒先側に向けて、第２腕部材３８ｂ，第１腕部材３８ａ，第３腕部材３８ｃの順に配置される。
【００２７】
腕部材３８の具体的な構成について、例として第１腕部材３８ａを挙げて説明する。なお、第２及び第３腕部材３８ｂ，３８ｃは第１腕部材３８ａと同じ構成であるので、その詳細な説明を省略する。図４に示されるように、第１腕部材３８ａの一端４４は、支持部材３６に接続され、他端４６がレール部材４０内に収容される。第１腕部材３８ａの一端４４と他端４６とは、鉛直方向に延びる棒状部により接続される。第１腕部材３８ａの他端４６は、図４に示されるように、レール部材４０内において膨出した形状となっている。この形状により、樋部１８が延びる方向における他端４６の移動が制限され、この方向におけるレール部材４０からの他端４６の脱落が防止される。
【００２８】
レール部材４０は、折板屋根１４の先端部１４ａと樋部１８の先端部１８ａと橋渡しするように設けられる。レール部材４０は、図４に示されるように、断面Ｃ字状であり、例えばリップ溝型鋼である。レール部材４０は、見下ろしたとき、棟から軒へ向かう屋根流れ方向に対して平行に設けられる。また、レール部材４０は、樋部１８の延びる方向に沿って所定の間隔をあけて複数本設けられる。各レール部材４０内側に、脚部材３８の他端４６がスライド可能に収容されることにより、網目状部材３２が、レール部材４０が延びる方向にスライドすることができる。
【００２９】
レール部材４０には、第１腕部材３８ａが軒先側に所定距離Ｌを移動した場合に、その移動を停止させる第１ストッパ４８が形成される。第１ストッパ４８は、レール部材４０内（断面Ｃ字状内側）に突出して形成される。また、第１ストッパ４８は、これに第１腕部材３８ａが当接した場合、第１腕部材３８ａの回動を許容するように形成される。例えば、第１ストッパ４８の当接面が円弧状に形成されていることが好適である。
【００３０】
また、レール部材４０には、第２腕部材３８ｂの棟側への移動を停止させる第２ストッパ５０が形成される。第２ストッパ５０は、図３に示されるように、レール部材４０の棟側端部を塞ぐ端板により形成される。しかし、本発明は、この構成に限定されず、第１ストッパ４８と同様に、レール部材４０内（断面Ｃ字状内側）に突出して形成されてもよい。
【００３１】
また、レール部材４０には、第２腕部材３８ｂがレール部材４０から上方外側へと抜ける上方開口部５２が形成されている。上方開口部５２は、第２ストッパ５０から軒先側に所定距離Ｌの間隔をあけて設けられる。そうすると、第２腕部材３８ｂが第２ストッパ５０に当接している地点から軒先側に所定距離Ｌを移動した場合、上方開口部５２からレール部材４０の上方外側へと抜ける。
【００３２】
さらに、レール部材４０には、第３腕部材３８ｃが軒先側に移動した場合、第３腕部材が軒先外側へと抜ける軒先開口部５４が形成される。軒先開口部５４は、レール部材４０の軒先側端部が開放されて形成される。
【００３３】
レール部材４０は、板状の台座５６の上に設けられ、この台座５６を介して折板屋根１４と樋部１８に固定される。そして、第２腕部材３８ｂには、網目状部材３２の回動を操作する操作紐５８が取り付けられている。操作紐５８の下端部は、図示しないが、地表付近まで延びて着脱可能に固定されている。その間においては、操作紐５８は、台座５６に回転自在に設けられる滑車６０に支持されている。作業者は、地表面付近での固定を解除して操作紐５８の下端部を把持し、それを上方に挙げることで、網目状部材３２を回動させることができる。
【００３４】
次に、このように構成される漏水防止装置３０の操作方法について、図３，５を用いて説明する。図３は、落下機構３４が通常時の状態を示す、図５は、落下機構３４が回動した時の状態を示す。
【００３５】
まず、図３において、落下機構３４は通常の状態である。網目状部材３２が、樋部１８の上方開口を覆うように設けられているので、雪２４が網目状部材３２に遮られる。すなわち、雪２４は網目状部材３２上に堆積し、樋部１８には溜まらない。これにより、樋部１８において、雪解け水等による水位が、堆積した雪２４によって上昇することを防止することができる。樋部１８内の水位の上昇が防止されるので、その水が面戸１６と外壁１２の隙間を通って建物内に浸入することを確実に防ぐことができる。
【００３６】
落下機構３４が通常の状態であるとき、第１脚部材３８ａは第１ストッパ４８から棟側に所定距離Ｌだけ離れて位置する。また、第２脚部材３８ｂは上方開口部５２から棟側に所定距離Ｌだけ離れて位置し、第２ストッパ５０に当接した状態である。
【００３７】
そして、作業者が、地表面付近での固定を解除して操作紐５８の下端部を把持し、それを上方に挙げる。そうすると、操作紐５８により第２脚部材３８ｂを介して棟側に引っ張られていた支持部材３６及び網目状部材３２が軒先側に向かって移動する。
【００３８】
所定距離Ｌを進むと、第１脚部材３８ａが第１ストッパ４８に当接して、支持部材３６及び網目状部材３２の軒先側に向かう移動が制限されるとともに、第２脚部材３８ｂが上方開口部５２から上方外側へと抜けるため、第１脚部材３８ａの端部４８を中心に支持部材３６及び網目状部材３２が軒下に傾斜するように回動する。このとき、第３脚部材３８ｃは、すでに軒先開口部５４から軒先外側へと抜けているので、支持部材３６及び網目状部材３２の回動を促進させる。また、網目状部材３２の領域３２ａ上に積もった雪２４の重みで、網目状部材３２が回動し易くなり、網目状部材３２上の雪２４を効率的に落下させることができる。
【００３９】
この回動により、図５に示されるように、網目状部材３２が略垂直方向になるまで傾くので、その上に堆積した雪２４を振り落とすことができる。なお、網目状部材３２の傾き度合いは、操作紐５８の操作により任意に設定できる。その後、作業者が操作紐５８を引っ張ることにより、各脚部材３８が図３に示される位置に戻され、落下機構３４が通常の状態に戻る。
【００４０】
このように、本実施形態の漏水防止装置３０によれば、網目状部材３２により雪２４などが樋部１８に溜まってしまうことを防ぐことができるので、樋部１８内の堆積物による水位の上昇を防止することができ、結果として、建物内への漏水を防止することができる。また、落下機構３４を設けたことにより、網目状部材３２上に溜まった雪２４などを軒下に振り落とすことができるので、堆積物による漏水防止装置３０の損傷を防止することができる。
【００４１】
本実施形態においては、落下機構３４が最も軒先側に第３脚部材３８ｃを有する場合について説明したが、本発明はこの構成に限定されない。第１及び第２脚部材３８ａ，３８ｂにより支持部材３６及び網目状部材３２を支持、スライド、そして回動させることができるのであれば、第３脚部材３８ｃを設けなくても良い。
【符号の説明】
【００４２】
１０，１１０  軒先構造、１２，１１２  外壁、１４，１１４  折板屋根、１６，１１６  面戸、１８，１１８  樋部、２０，１２０  山部、２２，１２２  ビス、２４，１２４  雪、３０  漏水防止装置、３２  網目状部材、３４  落下機構、３６  支持部材、３８  腕部材、４０  レール部材、４２  締結部材、４４  一端、４６  他端、４８  第１ストッパ、５０  第２ストッパ、５２  上方開口部、５４  軒先開口部、５６  台座、５８  操作紐、６０  滑車。
【図１】
2015229887.tif 000003
【図２】
2015229887.tif 000004
【図３】
2015229887.tif 000005
【図４】
2015229887.tif 000006
【図５】
2015229887.tif 000007